【手続補正書】
【提出日】平成16年10月14日(2004.10.14)
【手続補正１】
【補正対象書類名】特許請求の範囲
【補正対象項目名】全文
【補正方法】変更
【補正の内容】
【特許請求の範囲】
【請求項１】
適応変調・符号化を用いた、物理層ハイブリッド自動反復要求メカニズムを有するワイヤレス通信システムで送信時間間隔のデータを送信する方法において、
送信時間間隔内に無線インタフェースを通じて転送するための複数のトランスポートブロックセットとしてデータを提供し、
第１の指定された変調・符号化システムで前記トランスポートブロックセットを送信し、
各トランスポートブロックセットを受信して、受信されたトランスポートブロックセットが指定された品質を満たすかどうかを判定し、
前記指定された品質が満たされない場合、反復要求を送信し、
前記指定された変調・符号化システムを第２の指定された変調・符号化システムに変更し、
前記反復要求に応答して、前記トランスポートブロックセットの少なくとも１つを再送し、
再送されたトランスポートブロックセットを受信し、
前記再送されたトランスポートブロックセットを前に受信された対応するトランスポートブロックセットと結合する
ことを特徴とする送信時間間隔のデータを送信する方法。
【請求項２】
前記指定された品質が、巡回冗長テストを用いて判定されることを特徴とする請求項１に記載の方法。
【請求項３】
前記指定された品質の判定は、それぞれの受信されたトランスポートブロックセットに対して行われ、該指定された品質を満たさない受信されたトランスポートブロックセットのみが再送されることを特徴とする請求項１に記載の方法。
【請求項４】
時分割二重／符号分割多元接続通信システムで用いられ、送信されたトランスポートブロックセットが時間によって分割されていることを特徴とする請求項１に記載の方法。
【請求項５】
符号分割多元接続通信システムで用いられ、送信されたトランスポートブロックセットが符号によって分割されていることを特徴とする請求項１に記載の方法。
【請求項６】
時分割二重／符号分割多元接続通信システムで用いられ、送信されたトランスポートブロックセットが時間および符号によって分割されていることを特徴とする請求項１に記載の方法。
【請求項７】
直交周波数分割多元接続通信システムで用いられ、前記トランスポートブロックセットがサブキャリアによって分割されていることを特徴とする請求項１に記載の方法。
【請求項８】
適応変調・符号化を用いた、物理層ハイブリッド自動反復要求メカニズムを有する、送信時間間隔内に無線インタフェースを通じてデータを送信するための基地局において、
第１の指定された変調・符号化システムで、複数のトランスポートブロックセットを有する送信時間間隔のデータを送信し、反復要求を受信したことに応答して、該トランスポートブロックセットの少なくとも１つを再送する送信機と、
前記指定された変調・符号化システムを第２の指定された変調・符号化システムに変更する適応変調・符号化コントローラと
を備えたことを特徴とする基地局。
【請求項９】
時分割二重／符号分割多元接続無線インタフェースを使用し、送信されたトランスポートブロックセットが時間によって分割されていることを特徴とする請求項８に記載の基地局。
【請求項１０】
符号分割多元接続無線インタフェースを使用し、送信されたトランスポートブロックセットが符号によって分割されていることを特徴とする請求項８に記載の基地局。
【請求項１１】
時分割二重／符号分割多元接続無線インタフェースを使用し、送信されたトランスポートブロックセットが時間および符号によって分割されていることを特徴とする請求項８に記載の基地局。
【請求項１２】
直交周波数分割多元接続無線インタフェースを使用し、前記トランスポートブロックセットがサブキャリアによって分割されていることを特徴とする請求項８に記載の基地局。
【請求項１３】
適応変調・符号化を用いた、物理層ハイブリッド自動反復要求メカニズムを有する、送信時間間隔のデータを送信するための基地局において、
第１の指定された変調・符号化システムで、複数のトランスポートブロックセットを有する送信時間間隔内に無線インタフェースを通じてデータを送信する手段と、
前記指定された変調・符号化システムを第２の指定された変調・符号化システムに変更する手段と、
反復要求を受信したことに応答して、前記トランスポートブロックセットの少なくとも１つを再送する手段と
を備えたことを特徴とする基地局。
【請求項１４】
時分割二重／符号分割多元接続無線インタフェースを使用し、送信されたトランスポートブロックセットが時間によって分割されていることを特徴とする請求項１３に記載の基地局。
【請求項１５】
符号分割多元接続無線インタフェースを使用し、送信されたトランスポートブロックセットが符号によって分割されていることを特徴とする請求項１３に記載の基地局。
【請求項１６】
時分割二重／符号分割多元接続無線インタフェースを使用し、送信されたトランスポートブロックセットが時間および符号によって分割されていることを特徴とする請求項１３に記載の基地局。
【請求項１７】
直交周波数分割多元接続無線インタフェースを使用し、前記トランスポートブロックセットがサブキャリアによって分割されていることを特徴とする請求項１３に記載の基地局。
【請求項１８】
適応変調・符号化を用いて送信された送信時間間隔内に無線インタフェースを通じてデータを受信するユーザ機器において、該ユーザ機器は、受信された送信時間間隔データに対して物理層ハイブリッド自動反復要求メカニズムを使用し、
複数のトランスポートブロックセットを有する前記送信時間間隔データを受信し、第２の指定された変調・符号化システムを用いて送信された少なくとも１つの再送されたトランスポートブロックセットを受信する少なくとも１つの受信機と、
前記トランスポートブロックセットのそれぞれのデータが指定された品質を満たすかどうかを判定し、前記少なくとも１つの再送されたトランスポートブロックセットを前に受信された対応するトランスポートブロックセットと結合するハイブリッド自動反復要求復号器と、
前記指定された品質が満たされない場合、反復要求を送信する自動反復要求送信機と、
前記少なくとも１つの再送されたトランスポートブロックセットを前に受信された対応するトランスポートブロックセットと結合する結合器と
を備えたことを特徴とするユーザ機器。
【請求項１９】
前記指定された品質が、巡回冗長テストを用いて判定されることを特徴とする請求項１８に記載のユーザ機器。
【請求項２０】
前記指定された品質の判定は、それぞれの受信されたトランスポートブロックセットに対して行われ、該指定された品質を満たさない受信されたトランスポートブロックセットのみが再送されることを特徴とする請求項１８に記載のユーザ機器。
【請求項２１】
前記受信された送信時間間隔データが時分割二重／符号分割多元接続フォーマットの状態にあり、前記トランスポートブロックセットが時間によって分割されていることを特徴とする請求項１８に記載のユーザ機器。
【請求項２２】
前記受信された送信時間間隔データが符号分割多元接続フォーマットの状態にあり、前記トランスポートブロックセットが符号によって分割されていることを特徴とする請求項１８に記載のユーザ機器。
【請求項２３】
前記受信された送信時間間隔データが時分割二重／符号分割多元接続フォーマットの状態にあり、前記トランスポートブロックセットが時間および符号によって分割されていることを特徴とする請求項１８に記載のユーザ機器。
【請求項２４】
前記受信された送信時間間隔データが直交周波数分割多元接続フォーマットの状態にあり、前記トランスポートブロックセットがサブキャリアによって分割されていることを特徴とする請求項１８に記載のユーザ機器。
【請求項２５】
適応変調・符号化を用いて送信された送信時間間隔内に無線インタフェースを通じてデータを受信するユーザ機器において、該ユーザ機器は、受信された送信時間間隔データに対して物理層ハイブリッド自動反復要求メカニズムを使用し、
複数のトランスポートブロックセットを有する前記送信時間間隔データを受信する手段と、
前記トランスポートブロックセットのそれぞれのデータが指定された品質を満たすかどうかを判定する手段と、
前記指定された品質が満たされない場合、反復要求を送信する手段と、
第２の指定された変調・符号化システムを用いて送信された少なくとも１つの再送されたトランスポートブロックセットを受信する手段と、
前記少なくとも１つの再送されたトランスポートブロックセットを前に受信された対応するトランスポートブロックセットと結合する手段と
を備えたことを特徴とするユーザ機器。
【請求項２６】
前記指定された品質が、巡回冗長テストを用いて判定されることを特徴とする請求項２５に記載のユーザ機器。
【請求項２７】
前記指定された品質の判定は、それぞれの受信されたトランスポートブロックセットに対して行われ、該指定された品質を満たさない受信されたトランスポートブロックセットのみが再送されることを特徴とする請求項２５に記載のユーザ機器。
【請求項２８】
前記受信された送信時間間隔データが時分割二重／符号分割多元接続フォーマットの状態にあり、前記トランスポートブロックセットが時間によって分割されていることを特徴とする請求項２５に記載のユーザ機器。
【請求項２９】
前記受信された送信時間間隔データが符号分割多元接続フォーマットの状態にあり、前記トランスポートブロックセットが符号によって分割されていることを特徴とする請求項２５に記載のユーザ機器。
【請求項３０】
前記受信された送信時間間隔データが時分割二重／符号分割多元接続フォーマットの状態にあり、前記トランスポートブロックセットが時間および符号によって分割されていることを特徴とする請求項２５に記載のユーザ機器。
【請求項３１】
前記受信された送信時間間隔データが直交周波数分割多元接続フォーマットの状態にあり、前記トランスポートブロックセットがサブキャリアによって分割されていることを特徴とする請求項２５に記載のユーザ機器。